(57)【要約】      （修正有）【課題】収納物の鮮度維持のための窒素発生器を一体化することで小型化を図った冷蔵及び冷凍装置を提供する。【解決手段】窒素発生機２は冷蔵及び冷凍室１の筐体の内部もしくは外部のどちらかに配され、前記窒素発生機２には、エアインレット４０、酸素アウトレット５０、そして窒素アウトレットがそれぞれ配されていて、前記酸素アウトレット５０は、前記冷蔵及び冷凍装置の外側に通じていて、前記窒素アウトレットは、パイプ１７を介して、前記冷蔵及び冷凍室のインレットに通じている。容易に挿入及び引出すことが可能なクイック継手装置３０は前記パイプ１７及び前記冷蔵及び冷凍室のインレットの間に配されていて、前記冷蔵及び冷凍室の内部には、窒素濃度フィードバック装置が配されていて、前記窒素濃度フィードバック装置は、電気的に前記制御装置１６に接続され、該制御装置は、前記窒素発生機２の操作を制御する。【選択図】図１
0003148778.tif 000002
【実用新案登録請求の範囲】
【請求項１】
窒素の供給により鮮度維持機能を備えることが可能な、冷蔵及び冷凍装置であって、
前記装置は、
筐体と、
筐体内部における冷蔵及び冷凍室と、
冷蔵及び冷凍室に取付けられているドアと、
制御装置を備え、
前記冷蔵及び冷凍装置は、さらに、窒素発生機（２）を備え、前記窒素発生機（３）は前記冷蔵及び冷凍室（１）の筐体の内部もしくは外部のどちらかに配され、
前記窒素発生機（２）には、エアインレット（４０）、酸素アウトレット（５０）、そして窒素アウトレットがそれぞれ配されていて、
前記酸素アウトレット（５０）は、前記冷蔵及び冷凍装置の外側に通じていて、
前記窒素アウトレットは、パイプ（１７）を介して、前記冷蔵及び冷凍室のインレットに通じていて、
容易に挿入及び引出すことが可能なクイック継手装置（３０）は前記パイプ（１７）及び前記冷蔵及び冷凍室のインレットの間に配されていて、
前記冷蔵及び冷凍室の内部には、窒素濃度フィードバック装置が配されていて、
前記窒素濃度フィードバック装置は、電気的に前記制御装置（１６）に接続され、該制御装置は、前記窒素発生機（２）の操作を制御することを特徴とする、冷蔵及び冷凍装置。
【請求項２】
前記冷蔵及び冷凍装置（１）は、冷蔵庫あるいは冷蔵キャビネットであることを特徴とする、請求項１記載の冷蔵及び冷凍装置。
【請求項３】
前記窒素発生機（２）は、分子篩による窒素発生機あるいは膜分離による窒素発生機であることを特徴とする、請求項１あるいは２記載の冷蔵及び冷凍装置。
【請求項４】
前記窒素発生機（２）は、さらに前記エアインレットに接続されたエアフィルタ（３）、コンプレッサ（４）、ガスを伝達するパイプ装置、少なくとも一つの炭素分子篩吸着機（６）、さまざまな吸着機を交互に作動させる少なくとも一つの制御バルブ（５）、窒素貯蔵容器（８）、窒素浄化装置（７）、発生した窒素の圧力を調整する、圧力減少バルブ（９）、そしてパイプ上に配された、酸素アウトレットにつながる通気マフラー（１８）をさらに備え、
前記パイプ装置が部品間の接続を可能とする接続通路として機能し、前記制御バルブ（５）は前記炭素分子篩吸着機（６）の上流に配され、
前記窒素貯蔵容器（８）と窒素浄化装置（７）はそれぞれ前記炭素分子篩吸着機（６）の下流に配され、
前記窒素発生機（２）はさらに、制御回路（１０）を備え、該制御回路（１０）は、前記冷蔵及び冷凍装置の制御装置（１６）に電気的に接続されていることを特徴とする、請求項３記載の冷蔵及び冷凍装置。
【請求項５】
前記窒素発生機のコンプレッサ（４）は、前記冷蔵庫あるいは前記冷蔵キャビネット共有のオイルレスコンプレッサあるいは通常のコンプレッサであることを特徴とする、請求項４記載の冷蔵及び冷凍装置。
【請求項６】
前記冷蔵及び冷凍装置は、制御センタによって制御され、
前記制御センタは、マイクロ・コントローラ・ユニット（ＭＣＵ）あるいはプログラマブル論理制御装置（ＰＬＣ）であって、
前記制御センタは、マン・マシン・インターフェース、様々なセンサ、Ｎ２濃度試験装置、制御バルブ、コンプレッサ、吸収筒、そして前記バルブ制御回路のアナログ入力ボードに接続されていて、
使用者は前記マン・マシン・インターフェースを介して命令を入力し、該命令は前記制御センタへと送信され、制御されることを特徴とする、請求項１記載の冷蔵及び冷凍装置。
【請求項７】
前記制御センタは、さらに電磁ポンプ（２６）に接続され、該ポンプ（２６）は前記冷蔵及び冷凍室を真空にし、
エアインレット及びエアアウトレットはそれぞれ前記電磁ポンプ（２６）上に配され、
エアインレット及びエアアウトレットはそれぞれ前記冷蔵及び冷凍室内に配され、
前記電磁ポンプの前記エアインレットは前記冷蔵及び冷凍室の前記エアアウトレットに接続され、
前記電磁ポンプ（２６）の前記エアアウトレットは前記冷蔵及び冷凍装置の外部に通じることを特徴とする、請求項６記載の冷蔵及び冷凍装置。
【請求項８】
前記制御センタ（２７）は、様々なセンサ（１９）を介して信号を入力するとともに、窒素濃度試験モジュール（２０）を起動させ、果物及び野菜の保存室をテストし、
前記保存室内の前記窒素濃度が設定値よりも低い場合、前記ＭＣＵあるいはＰＬＣは、空気圧検出器（２１）によって送信された圧力情報を用いて、信号を送信し、該信号により前記電磁ポンプ（２６）を起動させ、前記室内を真空にし、その後、前記電磁ポンプ（２６）は停止し、
前記保存室内の圧力がある一定の空気圧になるよう真空にされる場合、前記ＭＣＵあるいは前記ＰＬＣは前記アナログ入力ボード（２５）を制御するとともに、前記コンプレッサ（２４）と前記制御バルブ（２２）を起動させ、吸着及び分離により、前記果物及び野菜の保存室における前記吸収筒（２３）内に窒素を供給し、
前記窒素が設定値にまで達する場合、前記窒素濃度試験モジュール（２０）は信号を送信し、前記制御センタ（２７）が命令を送信することで、前記コンプレッサ（２４）は停止し、前記制御バルブ（２２）は窒素の供給を停止し、
前記マン・マシン・インターフェース（２８）を介して作用パラメータを調整及び設定することで、使用者の様々な要求は満たすことが可能であって、
前記ＭＣＵの型がＰＩＣ１６Ｆ７４であることを特徴とする、請求項７記載の冷蔵及び冷凍装置。
【請求項９】
前記クイック継手装置（３０）は、接続装置、弾性要素、位置決定器そして設置座部を備え、
前記接続装置の一端部は、前記パイプ（１７）に接続され、もう一方の端部は、前記弾性要素に接触し、該弾性要素は、前記設置座部の内部に配されるとともに前記位置決定器により固定され、
前記設置座部は、前記冷蔵及び冷凍室のエアインレットに接続され、
前記接続装置（３０１）の一端部は、前記パイプ（１７）に接続され、
前記接続装置のもう一方の端部は、分離ばね（３０２）と接触し、該分離ばねは前記位置決定器により、前記設置座部（３０４）内部に配され、
前記分離ばねの接触により、前記分離ばね（３０２）は圧縮され、規定値に達し、
前記位置決定器は、前記接続装置（３０１）と位置決めピン（３０３２）間の接続部に配される溝部において、楔（３０３１）、前記位置決めピン（３０３２）、そして復元ばね（３０３３）を組み合わせることで形成され、前記位置決定器の形成により、前記接続装置（３０１）を前記設置座部（３０４）上に固定し、使用時に前記接続装置を瞬時に接続及び分離させることが可能であることを特徴とする、請求項１記載の冷蔵及び冷凍装置。
【請求項１０】
小型吸着式あるいは膜分離式による窒素発生機は、１以上の果物及び野菜の保存室の引き出しに接続されるとともに、窒素を供給し、
前記引き出しは互いに独立している、あるいは、前記引き出しは前記冷蔵庫もしくは冷蔵キャビネット内の分割空間(１１)によって独立していて、
前記果物及び野菜の保存室の引き出し、あるいは分割空間（１１）は、分割板（１２）等により分割されていて、
前記分割板（１２）の上端縁あるいは下端縁は、シリカゲルの細片（１３）等により塞がれ、
前記果物及び野菜の保存室の引き出しは互いに塞ぎあい、
前記果物及び野菜の保存室の引き出しには、スイッチが付され、該スイッチは、機械的信号、電気的信号、音波信号、光電気信号、温度信号、圧力信号、あるいは磁気信号が実用可能であって、
前記スイッチは、果物及び野菜の保存室の引き出しによる動きによって、切替えられ、
前記動きは、ドアの開閉あるいは引き出しの動きであってもよく、
前記スイッチは電気的に前記制御装置（１６）に接続されていることを特徴とする、請求項１記載の装置。
【考案の詳細な説明】
【技術分野】
【０００１】
本考案は、窒素を供給することで、鮮度を維持することが可能な冷蔵及び冷凍装置に関する。さらに詳細に述べると、本考案は窒素を供給することで、鮮度を維持することが可能な冷蔵庫及び冷蔵キャビネットに関する。
【背景技術】
【０００２】
社会が発展するにつれ、日常生活における食品の品質向上に対する需要が増大している。野菜、果物、そして肉などは優れた形状だけでなく、優れた匂い、味、色彩を維持することが求められている。現在、冷蔵庫及び冷蔵キャビネットは主に、食品を新鮮に保つことに用いられている。しかし、冷蔵庫及び冷蔵キャビネットを用いて、食品を０℃程度で冷蔵すると、葉付きの野菜及び果物は、本来の香り及び栄養を損なうだけでなく、皺や、腐敗の斑点が形成される。０℃程度で冷蔵し、鮮度を維持する冷蔵庫及び冷蔵キャビネットが最近販売されているが、食品を冷蔵するのに欠点がある。例えば、食品はすぐに古くなり、萎れ、変形しやすくなる。そして、長時間電気が供給されないと、新鮮さを維持することが不可能になる。さらに、冷蔵庫あるいは冷蔵キャビネット内に存する酸素は、食品の酸化を促進するため、取り扱いが難しい。
【０００３】
窒素は色を有さず、無毒且つ無臭の不活性ガスである。そして、窒素は、食品に対して化学反応を起こさず、食品の酸化作用を遅らせるのに有効に作用する。従って、食品の鮮度を保つことができる。窒素は食品の鮮度を維持することが可能であるという上記理論により、窒素を用いて鮮度を維持することが可能な冷蔵庫と冷蔵キャビネットの発明がなされた。品質及び栄養の優れた食品を提供することが可能であるため、この発明は人々に新たな消費コンセプトを提供した。窒素を供給することにより鮮度維持が可能な冷蔵庫及び冷蔵キャビネットは、従来からその論理については公開されてきた。しかしながら、製品製造に必要な技術的理論については公開されていなかった。加えて、窒素発生器を冷蔵庫あるいは冷蔵キャビネットに組み込む技術的解決策や窒素含有量を検出し制御する技術的解決策についても公開されていなかった。
【考案の開示】
【考案が解決しようとする課題】
【０００４】
本考案は、家庭用もしくは商業用の冷蔵庫あるいは冷蔵キャビネットに利用される、吸着式（ＰＳＡ）あるいは膜分離式の窒素発生器を提供することである。冷蔵庫あるいは冷蔵キャビネットと窒素発生器を組み合わせて、一体化された筐体内に収容することにより、本発明の冷蔵及び冷蔵装置は、小型構造、二重の機能を有するとともに、低コストを実現し、柔軟に操作を行うことが可能となる。
【０００５】
本考案の技術は以下に示す技術的思想により達成することが可能である。窒素の供給により鮮度維持機能を備えることが可能な、冷蔵及び冷凍装置であって、前記装置は、筐体と、筐体内部における冷蔵及び冷凍室と、冷蔵及び冷凍室に取付けられているドアと、制御装置を備え、前記冷蔵及び冷凍装置は、さらに、窒素発生機を備え、前記窒素発生機は前記冷蔵及び冷凍室の筐体の内部もしくは外部のどちらかに配され、前記窒素発生機には、エアインレット、酸素アウトレット、そして窒素アウトレットがそれぞれ配されていて、前記酸素アウトレットは、前記冷蔵及び冷凍装置の外側に通じていて、前記窒素アウトレットは、パイプを介して、前記冷蔵及び冷凍室のインレットに通じていて、容易に挿入及び引出すことが可能なクイック継手装置は前記パイプ及び前記冷蔵及び冷凍室のインレットの間に配されていて、前記冷蔵及び冷凍室の内部には、窒素濃度フィードバック装置が配されていて、前記窒素濃度フィードバック装置は、電気的に前記制御装置に接続され、該制御装置は、前記窒素発生機の操作を制御することを特徴とする。
前記冷蔵及び冷凍装置は、冷蔵庫あるいは冷蔵キャビネットであることを特徴とする。
前記窒素発生機は、分子篩による窒素発生機あるいは膜分離による窒素発生機であることを特徴とする。
前記窒素発生機は、さらに前記エアインレットに接続されたエアフィルタ、コンプレッサ、ガスを送達するパイプ装置、少なくとも一つの炭素分子篩吸着機、さまざまな吸着機を交互に作動させる少なくとも一つの制御バルブ、窒素貯蔵容器、窒素浄化装置、発生した窒素の圧力を調整する圧力減少バルブ、そしてパイプ上に配された酸素アウトレット上につながる通気マフラーをさらに備え、前記パイプ装置が部品間の接続を可能とする接続通路として機能し、前記制御バルブは前記炭素分子篩吸着機の上流に配され、前記窒素貯蔵容器と窒素浄化装置はそれぞれ前記炭素分子篩吸着機の下流に配され、前記窒素発生機はさらに、制御回路を備え、該制御回路は、前記冷蔵及び冷凍装置の制御装置に電気的に接続されていることを特徴とする。
前記窒素発生機のコンプレッサは、前記冷蔵庫あるいは前記冷蔵キャビネット共有のオイルレスコンプレッサあるいは通常のコンプレッサであることを特徴とする。
本考案は、以下に示す技術的効果を有する。冷蔵庫あるいは冷蔵キャビネットには窒素供給機能が付されているため、冷蔵庫あるいは冷蔵キャビネットの冷蔵室と冷凍室に直接窒素を供給することが可能となる。従って、家庭、食料品店、外食産業、そして公共娯楽施設において、鮮度を維持し、食品を貯蔵することが可能となる。
【考案を実施するための最良の形態】
【０００６】
図１、図２、及び図４で示すように、窒素の供給により鮮度維持機能を備えることが可能な、冷蔵及び冷凍装置（１）は、筐体と、筐体内部における冷蔵及び冷凍室と、冷蔵及び冷凍室のドアと、制御装置を備え、前記冷蔵及び冷凍装置（１）は、さらに、窒素発生機を備え、前記窒素発生機（３）は前記冷蔵及び冷凍室の筐体の内部もしくは外部に配され、前記窒素発生機（２）には、エアインレット（４０）、酸素アウトレット（５０）、そして窒素アウトレットがそれぞれ配されていて、前記酸素アウトレット（５０）は、前記冷蔵及び冷凍装置の外側に通じていて、前記窒素アウトレットは、パイプ（１７）を介して、前記冷蔵及び冷凍室に通じていて、容易に挿入及び引出すことが可能なクイック継手装置（３０）は前記パイプ（１７）及び前記冷蔵及び冷凍室の間に配されていて、前記冷蔵及び冷凍室の内部には、窒素濃度フィードバック装置が配されていて、前記窒素濃度フィードバック装置は、電気的に前記制御装置（１６）に接続され、該制御装置は、前記窒素発生機（２）の操作を制御することを特徴とする。
前記冷蔵及び冷凍装置（１）は、冷蔵庫あるいは冷蔵キャビネットであることを特徴とする。
前記窒素発生機（２）は、分子篩による窒素発生機あるいは膜分離による窒素発生機であることを特徴とする。
前記窒素発生機（２）は、さらに前記エアインレットに接続されたエアフィルタ（３）、コンプレッサ（４）、ガスを送達するパイプ装置、少なくとも一つの炭素分子篩吸着機（６）、さまざまな吸着機を交互に作動させる少なくとも一つの制御バルブ（５）、窒素貯蔵容器（８）、窒素浄化装置（７）、発生した窒素の圧力を調整する圧力減少バルブ（９）、そしてパイプ上に配された酸素アウトレットにつながる通気マフラー（１８）をさらに備え、前記パイプ装置が部品間の接続を可能とする接続通路として機能し、前記制御バルブ（５）は前記炭素分子篩吸着機（６）の上流に配され、前記窒素貯蔵容器（８）と窒素浄化装置（７）はそれぞれ前記炭素分子篩吸着機（６）の下流に配され、前記窒素発生機（２）はさらに、制御回路（１０）を備え、該制御回路（１０）は、前記冷蔵及び冷凍装置の制御装置（１６）に電気的に接続されていることを特徴とする。
前記窒素発生機のコンプレッサ（４）は、前記冷蔵庫あるいは前記冷蔵キャビネット共有のオイルレスコンプレッサあるいは通常のコンプレッサであることを特徴とする。
【０００７】
本発明では、図３で示すように、前記冷蔵及び冷凍装置は、制御センタによって制御され、前記制御センタは、マイクロ・コントローラ・ユニット（ＭＣＵ）あるいはプログラマブル論理制御装置（ＰＬＣ）であって、前記制御センタは、マン・マシン・インターフェース、様々なセンサ、Ｎ２濃度試験装置、制御バルブ、コンプレッサ、吸収筒、そして前記バルブ制御回路のアナログ入力ボードに接続されていて、使用者は前記マン・マシン・インターフェースを介して命令を入力し、該命令は前記制御センタへと送信され、制御されることを特徴とする。
前記制御センタは、さらに電磁ポンプ（２６）に接続され、該ポンプ（２６）は前記冷蔵及び冷凍室を真空にし、エアインレット及びエアアウトレットはそれぞれ前記電磁ポンプ（２６）上に配され、エアインレット及びエアアウトレットはそれぞれ前記冷蔵及び冷凍室内に配され、前記電磁ポンプ（２６）の前記エアインレットは前記冷蔵及び冷凍室の前記エアアウトレットに接続され、前記電磁ポンプ（２６）の前記エアアウトレットは前記冷蔵及び冷凍装置の外部に通じることを特徴とする。
【０００８】
前記制御センタ（２７）は、様々なセンサ（１９）を介して信号を入力するとともに、窒素濃度試験モジュール（２０）を起動させ、果物及び野菜の保存室をテストし、前記保存室内の前記窒素濃度が設定値よりも低い場合、前記ＭＣＵあるいはＰＬＣは、空気圧検出器（２１）によって送信された圧力情報を用いて、信号を送信し、該信号により、前記電磁ポンプ（２６）を起動させ、前記室内を真空にし、その後、前記電磁ポンプ（２６）は停止し、前記保存室内の圧力がある一定の空気圧になるよう減圧される場合、前記ＭＣＵあるいは前記ＰＬＣは前記アナログ入力ボード（２５）を制御するとともに、前記コンプレッサ（２４）と前記制御バルブ（２２）を起動させ、吸着及び分離により、前記果物及び野菜の保存室における前記吸収筒内に窒素を供給し、前記窒素が設定値にまで達する場合、前記窒素濃度試験モジュール（２０）は信号を送信し、前記制御センタ（２７）が命令を送信することで、前記コンプレッサ（２４）は停止し、前記制御バルブ（２２）は窒素の供給を停止し、前記マン・マシン・インターフェース（２８）を介して作用パラメータを調整及び設定することで、使用者の要求は満たすことが可能であって、前記ＭＣＵの型がＰＩＣ１６Ｆ７４であることを特徴とする。
【０００９】
図４に示すように、前記クイック継手装置（３０）は、接続装置、弾性要素、位置決定器そして設置座部を備え、前記接続装置の一端部は、前記パイプ（１７）に接続され、もう一方の端部は、前記弾性要素に接触し、該弾性要素は、前記設置座部の内部に配されるとともに前記位置決定器により固定され、前記設置座部は、前記冷蔵及び冷凍室のエアインレットに接続され、前記接続装置（３０１）の一端部は、前記パイプ（１７）に接続され、前記接続装置のもう一方の端部は、分離ばね（３０２）と接触し、該分離ばねは前記位置決定器により、前記設置座部（３０４）内部に配され、前記分離ばねの接触により、前記分離ばね（３０２）は圧縮され、規定値に達し、前記位置決定器は、前記接続装置（３０１）と位置決めピン（３０３２）間の接続部に配される溝部において、楔（３０３１）、前記位置決めピン（３０３２）、そして復元ばね（３０３３）を組み合わせることで形成される。使用者が通常使用する際、復元ばね（３０３３）の力により、位置決定器（３０３２）は接続装置（３０１）の溝部に押込まれる。そして、接続装置（３０１）は設置座部（３０４）上に固定される。この固定を解除する要求があると、パイプ（１７）を上に引張り、これにより牽引力を生成するとともに、分離ばね（３０４１）からの予め設定された反動力を生成する。接続装置（３０１）は設置座部（３０４）の台座から上方に動かされる。この結果、位置決めピン（３０３２）は押込まれ、復元ばね（３０３３）の力により、位置決めピンは外側に動く。位置決めピン（３０３２）が接続装置（３０１）の溝部から離れると、接続装置（３０１）は設置座部から離れる。従って、パイプ（１７）と冷蔵庫との間の分離が実現する。
【００１０】
冷蔵庫あるいは冷蔵キャビネットは、家庭用もしくは商業用に利用される。
【００１１】
小型吸着式あるいは膜分離式による窒素発生機は、１以上の果物及び野菜の保存室の引き出しに接続されるとともに、窒素を供給し、前記引き出しは互いに独立している、あるいは、前記引き出しは、前記冷蔵庫もしくは冷蔵キャビネット内の分割空間(１１)によって独立している。前記果物及び野菜の保存室の引き出し、あるいは分割空間（１１）は、分割板（１２）等により分割されている。前記分割板（１２）の上端縁あるいは下端縁は、シリカゲルの細片等により塞がれている。前記果物及び野菜の保存室の引き出しはもう一方の引き出しにより塞がれている。前記冷蔵庫あるいは冷蔵キャビネットの果物及び野菜の保存室は、引き出し、あるいは独立して開く左右のドア、もしくは独立して開く上下のドアを備える。引き出しの場合、密閉クイックコネクタにより、保存室の窒素インレットは、窒素発生器の窒素アウトレットと接続される。該密閉クイックコネクタは、保存室から窒素が漏れることなく、取り外すことが可能である。独立ドアの場合、ドアを開閉する際はいつも、保存室内の空気は自動的に取り出され、窒素は自動的に取り込まれる。前記果物及び野菜の保存室の引き出しには、スイッチが付され、該スイッチは、機械的信号、電気的信号、音波信号、光電気信号、温度信号、圧力信号、あるいは磁気信号が反応し、前記スイッチは、果物及び野菜の保存室の引き出しによる動きによって、切替えられ、前記動きは、ドアの開閉あるいは引き出しの動きであってもよく、前記スイッチは電気的に前記制御装置（１６）に接続されていることを特徴とする。
窒素の生成と供給はさまざまなセンサから集められた情報によって自動的に制御されている。様々なセンサは導入された信号、音波信号、あるいは電気的信号を察知するのに採用されている。これらの信号は、空気中の窒素濃度やその他の濃度を自動的に検知することによって、作り出される。あるいは、以下に示す自動的検知によって、信号が作りだされる。果物及び野菜の保存室の内外の圧力あるいは温度を自動的に検知すること、ドアの開閉、果物及び野菜の保存室あるいは他の部材の動きにより発せられる誘発信号を検知すること、ドアの開閉時における光の違いによって生じる光電気誘導（photoelectricity induction）を検知すること、あるいは磁気の変化によって生じる電磁誘導を検知することによって信号が作り出される。
【００１２】
小型吸着式あるいは膜分離式の窒素発生器は、冷蔵庫あるいは冷蔵キャビネットの支持フレームあるいは他の位置に配されている。それにより、該窒素発生器は冷蔵庫あるいは冷蔵キャビネットと一体的に形成される。
小型吸着式あるいは膜分離式の窒素発生器の制御装置は、自動によるトリガー制御ではなく、手動により制御される。本考案の制御装置は、手動、コンピュータあるいは論理チップによるプログラムコントロール、あるいは機械的スイッチ制御が含まれる。
小型吸着式あるいは膜分離式の窒素発生器から分離された酸素は、家屋の室内に直接放出され、室内の酸素を増加させることが可能となる。
上記記載及び解説は、本発明の範囲を制限するものではない。本発明の範囲は、添付の請求項によって規定される。本発明の精神及び範囲を逸脱することなく、当業者は、本構造に対する多くの変更形態及び同等物を実施することが可能である。
【図面の簡単な説明】
【００１３】
【図１】図１は、本発明の一実施形態における、冷蔵庫及び冷凍装置の構造を示す図であって、該冷蔵庫及び冷凍装置は、窒素を供給することで、鮮度維持機能を備える冷蔵庫の形態である。
【図２】図２は、本発明のもう一つ別の実施形態における、冷蔵庫及び冷蔵装置の構造を示す図であって、該冷蔵庫及び冷蔵装置は、窒素を供給することで、鮮度維持機能を備える冷蔵キャビネットの形態である。
【図３】図３は、本発明の冷蔵庫あるいは冷蔵キャビネットの電気制御回路を示す概略図である。
【図４】図４は、本発明の冷蔵庫及び冷凍装置におけるクイック継手装置の構造を示す図である。
【図１】
0003148778.tif 000003
【図２】
0003148778.tif 000004
【図３】
0003148778.tif 000005
【図４】
0003148778.tif 000006
【手続補正書】
【提出日】平成20年7月2日(2008.7.2)
【手続補正１】
【補正対象書類名】実用新案登録請求の範囲
【補正対象項目名】全文
【補正方法】変更
【補正の内容】
【実用新案登録請求の範囲】
【請求項１】
窒素の供給により鮮度維持機能を備えることが可能な、冷蔵及び冷凍装置であって、
前記装置は、
筐体と、
筐体内部における冷蔵及び冷凍室と、
冷蔵及び冷凍室に取付けられているドアと、
制御装置（１６）と、
窒素発生機（２）を備え、
前記窒素発生機（２）は前記冷蔵及び冷凍室（１）の筐体の内部もしくは外部のどちらかに配され、
前記窒素発生機（２）には、エアインレット（４０）、酸素アウトレット（５０）、窒素アウトレット、前記エアインレット（４０）に接続されたエアフィルタ（３）、コンプレッサ（４）、ガスを伝達するパイプ装置、少なくとも一つの炭素分子篩吸着機（６）、さまざまな吸着機を交互に作動させる少なくとも一つの制御バルブ（５）、窒素貯蔵容器（８）、窒素浄化装置（７）、発生した窒素の圧力を調整する、圧力減少バルブ（９）、パイプ上に配された、酸素アウトレットにつながる通気マフラー（１８）、そして制御回路（１０）をさらに備え、
前記酸素アウトレット（５０）は、前記冷蔵及び冷凍装置の外側に通じていて、
前記窒素アウトレットは、パイプ（１７）を介して、前記冷蔵及び冷凍室のインレットに通じていて、
容易に挿入及び引出すことが可能なクイック継手装置（３０）は前記パイプ（１７）及び前記冷蔵及び冷凍室のインレットの間に配されていて、
前記冷蔵及び冷凍室の内部には、窒素濃度フィードバック装置が配されていて、
前記窒素濃度フィードバック装置は、電気的に前記制御装置（１６）に接続されることにより、前記窒素発生機（２）の操作を制御し、
前記パイプ装置が部品間の接続を可能とする接続通路として機能し、前記制御バルブ（５）は前記炭素分子篩吸着機（６）の上流に配され、
前記窒素貯蔵容器（８）と窒素浄化装置（７）はそれぞれ前記炭素分子篩吸着機（６）の下流に配され、
前記窒素発生機（２）はさらに、制御回路（１０）を備え、該制御回路（１０）は、前記冷蔵及び冷凍装置の制御装置（１６）に電気的に接続されていることを特徴とする、冷蔵及び冷凍装置。
【請求項２】
前記冷蔵及び冷凍装置（１）は、冷蔵庫あるいは冷蔵キャビネットであることを特徴とする、請求項１記載の冷蔵及び冷凍装置。
【請求項３】
前記窒素発生機（２）は、分子篩による窒素発生機あるいは膜分離による窒素発生機であることを特徴とする、請求項１あるいは２記載の冷蔵及び冷凍装置。
【請求項４】
前記窒素発生機のコンプレッサ（４）は、前記冷蔵庫あるいは前記冷蔵キャビネット共有のオイルレスコンプレッサあるいは通常のコンプレッサであることを特徴とする、請求項１記載の冷蔵及び冷凍装置。
【請求項５】
前記冷蔵及び冷凍装置は、制御センタによって制御され、
前記制御センタは、マイクロ・コントローラ・ユニット（ＭＣＵ）あるいはプログラマブル論理制御装置（ＰＬＣ）であって、
前記制御センタは、マン・マシン・インターフェース、様々なセンサ、Ｎ２濃度試験装置、電磁バルブ、コンプレッサ、吸収筒、そしてアナログ入力ボードに接続されていて、
使用者は前記マン・マシン・インターフェースを介して命令を入力し、該命令は前記制御センタへと送信され、制御されることを特徴とする、請求項１記載の冷蔵及び冷凍装置。
【請求項６】
前記制御センタは、さらに電磁ポンプ（２６）に接続され、該ポンプ（２６）は前記冷蔵及び冷凍室を真空にし、
エアインレット及びエアアウトレットはそれぞれ前記電磁ポンプ（２６）上に配され、
エアインレット及びエアアウトレットはそれぞれ前記冷蔵及び冷凍室内に配され、
前記電磁ポンプの前記エアインレットは前記冷蔵及び冷凍室の前記エアアウトレットに接続され、
前記電磁ポンプ（２６）の前記エアアウトレットは前記冷蔵及び冷凍装置の外部に通じることを特徴とする、請求項５記載の冷蔵及び冷凍装置。
【請求項７】
前記制御センタ（２７）は、様々なセンサ（１９）を介して信号を入力するとともに、窒素濃度試験装置（２０）を起動させ、果物及び野菜の保存室をテストし、
前記保存室内の前記窒素濃度が設定値よりも低い場合、前記ＭＣＵあるいはＰＬＣは、空気圧センサ（２１）によって送信された圧力情報を用いて、信号を送信し、該信号により前記電磁ポンプ（２６）を起動させ、前記室内を真空にし、その後、前記電磁ポンプ（２６）は停止し、
前記保存室内の圧力がある一定の空気圧になるよう真空にされる場合、前記ＭＣＵあるいは前記ＰＬＣは前記アナログ入力ボード（２５）を制御するとともに、前記コンプレッサ（２４）と前記電磁バルブ（２２）を起動させ、前記吸収筒（２３）へ流入した窒素は吸着及び分離され、前記果物及び野菜の保存室へと供給され、
前記窒素が設定値にまで達する場合、前記窒素濃度試験装置（２０）は信号を送信し、前記制御センタ（２７）が命令を送信することで、前記コンプレッサ（２４）は停止し、前記電磁バルブ（２２）は窒素の供給を停止し、
前記マン・マシン・インターフェース（２８）を介して作用パラメータを調整及び設定することで、使用者の様々な要求は満たすことが可能であって、
前記ＭＣＵの型がＰＩＣ１６Ｆ７４であることを特徴とする、請求項６記載の冷蔵及び冷凍装置。
【請求項８】
前記クイック継手装置（３０）は、接続装置、弾性要素、位置決定器そして設置座部を備え、
前記接続装置の一端部は、前記パイプ（１７）に接続され、もう一方の端部は、前記弾性要素に接触し、該弾性要素は、前記設置座部の内部に配されるとともに前記位置決定器により固定され、
前記設置座部は、前記冷蔵及び冷凍室のエアインレットに接続され、
前記接続装置（３０１）の一端部は、前記パイプ（１７）に接続され、
前記接続装置のもう一方の端部は、分離ばね（３０２）と接触し、該分離ばねは前記位置決定器により、前記設置座部（３０４）内部に配され、
前記分離ばねの接触により、前記分離ばね（３０２）は圧縮され、規定値に達し、
前記位置決定器は、前記接続装置（３０１）と位置決めピン（３０３２）間の接続部に配される溝部において、楔（３０３１）、前記位置決めピン（３０３２）、そして復元ばね（３０３３）を組み合わせることで形成され、前記位置決定器の形成により、前記接続装置（３０１）を前記設置座部（３０４）上に固定し、使用時に前記接続装置を瞬時に接続及び分離させることが可能であることを特徴とする、請求項１記載の冷蔵及び冷凍装置。
【請求項９】
小型吸着式あるいは膜分離式による窒素発生機は、１以上の果物及び野菜の保存室の引き出しに接続されるとともに、窒素を供給し、
前記引き出しは互いに独立している、あるいは、前記引き出しは前記冷蔵装置もしくは冷凍装置内の分割空間(１１)によって独立していて、
前記果物及び野菜の保存室の引き出し、あるいは分割空間（１１）は、分割板（１２）等により分割されていて、
前記分割板（１２）の上端縁あるいは下端縁は、シリカゲルの細片（１３）等により塞がれ、
前記果物及び野菜の保存室の引き出しは互いに塞ぎあい、
前記果物及び野菜の保存室の引き出しには、スイッチが付され、該スイッチは、機械的信号、電気的信号、音波信号、光電気信号、温度信号、圧力信号、あるいは磁気信号が実用可能であって、
前記スイッチは、果物及び野菜の保存室の引き出しによる動きによって、切替えられ、
前記動きは、ドアの開閉あるいは引き出しの動きであってもよく、
前記スイッチは電気的に前記制御装置（１６）に接続されていることを特徴とする、請求項１記載の装置。
【手続補正２】
【補正対象書類名】明細書
【補正対象項目名】０００５
【補正方法】変更
【補正の内容】
【０００５】
本考案の技術は以下に示す技術的思想により達成することが可能である。窒素の供給により鮮度維持機能を備えることが可能な、冷蔵及び冷凍装置であって、前記装置は、筐体と、筐体内部における冷蔵及び冷凍室と、冷蔵及び冷凍室に取付けられているドアと、制御装置と、窒素発生機を備え、前記窒素発生機は前記冷蔵及び冷凍室の筐体の内部もしくは外部のどちらかに配され、前記窒素発生機には、エアインレット、酸素アウトレット、窒素アウトレット、前記エアインレットに接続されたエアフィルタ、コンプレッサ、ガスを伝達するパイプ装置、少なくとも一つの炭素分子篩吸着機、さまざまな吸着機を交互に作動させる少なくとも一つの制御バルブ、窒素貯蔵容器、窒素浄化装置、発生した窒素の圧力を調整する、圧力減少バルブ、パイプ上に配された、酸素アウトレットにつながる通気マフラー、そして制御回路をさらに備え、前記酸素アウトレットは、前記冷蔵及び冷凍装置の外側に通じていて、前記窒素アウトレットは、パイプを介して、前記冷蔵及び冷凍室のインレットに通じていて、容易に挿入及び引出すことが可能なクイック継手装置は前記パイプ及び前記冷蔵及び冷凍室のインレットの間に配されていて、前記冷蔵及び冷凍室の内部には、窒素濃度フィードバック装置が配されていて、前記窒素濃度フィードバック装置は、電気的に前記制御装置に接続されることにより、前記窒素発生機の操作を制御し、前記パイプ装置が部品間の接続を可能とする接続通路として機能し、前記制御バルブは前記炭素分子篩吸着機の上流に配され、前記窒素貯蔵容器と窒素浄化装置はそれぞれ前記炭素分子篩吸着機の下流に配され、前記窒素発生機はさらに、制御回路を備え、該制御回路は、前記冷蔵及び冷凍装置の制御装置に電気的に接続されていることを特徴とする。
前記冷蔵及び冷凍装置は、冷蔵庫あるいは冷蔵キャビネットであることを特徴とする。
前記窒素発生機は、分子篩による窒素発生機あるいは膜分離による窒素発生機であることを特徴とする。
前記窒素発生機のコンプレッサは、前記冷蔵庫あるいは前記冷蔵キャビネット共有のオイルレスコンプレッサあるいは通常のコンプレッサであることを特徴とする。
本考案は、以下に示す技術的効果を有する。冷蔵庫あるいは冷蔵キャビネットには窒素供給機能が付されているため、冷蔵庫あるいは冷蔵キャビネットの冷蔵室と冷凍室に直接窒素を供給することが可能となる。従って、家庭、食料品店、外食産業、そして公共娯楽施設において、鮮度を維持し、食品を貯蔵することが可能となる。
【手続補正３】
【補正対象書類名】明細書
【補正対象項目名】０００６
【補正方法】変更
【補正の内容】
【０００６】
図１、図２、及び図４で示すように、窒素の供給により鮮度維持機能を備えることが可能な、冷蔵及び冷凍装置（１）は、筐体と、筐体内部における冷蔵及び冷凍室と、冷蔵及び冷凍室のドアと、制御装置（１６）と、窒素発生機（２）を備え、前記窒素発生機（２）は前記冷蔵及び冷凍室の筐体の内部もしくは外部に配され、前記窒素発生機（２）には、エアインレット（４０）、酸素アウトレット（５０）、そして窒素アウトレットがそれぞれ配されていて、前記酸素アウトレット（５０）は、前記冷蔵及び冷凍装置の外側に通じていて、前記窒素アウトレットは、パイプ（１７）を介して、前記冷蔵及び冷凍室に通じていて、容易に挿入及び引出すことが可能なクイック継手装置（３０）は前記パイプ（１７）及び前記冷蔵及び冷凍室の間に配されていて、前記冷蔵及び冷凍室の内部には、窒素濃度フィードバック装置が配されていて、前記窒素濃度フィードバック装置は、電気的に前記制御装置（１６）に接続されることにより、前記窒素発生機（２）の操作を制御することを特徴とする。
前記冷蔵及び冷凍装置（１）は、冷蔵庫あるいは冷蔵キャビネットであることを特徴とする。
前記窒素発生機（２）は、分子篩による窒素発生機あるいは膜分離による窒素発生機であることを特徴とする。
前記窒素発生機（２）は、さらに前記エアインレットに接続されたエアフィルタ（３）、コンプレッサ（４）、ガスを送達するパイプ装置、少なくとも一つの炭素分子篩吸着機（６）、さまざまな吸着機を交互に作動させる少なくとも一つの制御バルブ（５）、窒素貯蔵容器（８）、窒素浄化装置（７）、発生した窒素の圧力を調整する圧力減少バルブ（９）、そしてパイプ上に配された酸素アウトレットにつながる通気マフラー（１８）をさらに備え、前記パイプ装置が部品間の接続を可能とする接続通路として機能し、前記制御バルブ（５）は前記炭素分子篩吸着機（６）の上流に配され、前記窒素貯蔵容器（８）と窒素浄化装置（７）はそれぞれ前記炭素分子篩吸着機（６）の下流に配され、前記窒素発生機（２）はさらに、制御回路（１０）を備え、該制御回路（１０）は、前記冷蔵及び冷凍装置の制御装置（１６）に電気的に接続されていることを特徴とする。
前記窒素発生機のコンプレッサ（４）は、前記冷蔵庫あるいは前記冷蔵キャビネット共有のオイルレスコンプレッサあるいは通常のコンプレッサであることを特徴とする。
【手続補正４】
【補正対象書類名】明細書
【補正対象項目名】０００７
【補正方法】変更
【補正の内容】
【０００７】
本発明では、図３で示すように、前記冷蔵及び冷凍装置は、制御センタによって制御され、前記制御センタは、マイクロ・コントローラ・ユニット（ＭＣＵ）あるいはプログラマブル論理制御装置（ＰＬＣ）であって、前記制御センタは、マン・マシン・インターフェース、様々なセンサ、Ｎ２濃度試験装置、電磁バルブ、コンプレッサ、吸収筒、そしてアナログ入力ボードに接続されていて、使用者は前記マン・マシン・インターフェースを介して命令を入力し、該命令は前記制御センタへと送信され、制御されることを特徴とする。
前記制御センタは、さらに電磁ポンプ（２６）に接続され、該ポンプ（２６）は前記冷蔵及び冷凍室を真空にし、エアインレット及びエアアウトレットはそれぞれ前記電磁ポンプ（２６）上に配され、エアインレット及びエアアウトレットはそれぞれ前記冷蔵及び冷凍室内に配され、前記電磁ポンプ（２６）の前記エアインレットは前記冷蔵及び冷凍室の前記エアアウトレットに接続され、前記電磁ポンプ（２６）の前記エアアウトレットは前記冷蔵及び冷凍装置の外部に通じることを特徴とする。
【手続補正５】
【補正対象書類名】明細書
【補正対象項目名】０００８
【補正方法】変更
【補正の内容】
【０００８】
前記制御センタ（２７）は、様々なセンサ（１９）を介して信号を入力するとともに、窒素濃度試験装置（２０）を起動させ、果物及び野菜の保存室をテストし、前記保存室内の前記窒素濃度が設定値よりも低い場合、前記ＭＣＵあるいはＰＬＣは、空気圧センサ（２１）によって送信された圧力情報を用いて、信号を送信し、該信号により、前記電磁ポンプ（２６）を起動させ、前記室内を真空にし、その後、前記電磁ポンプ（２６）は停止し、前記保存室内の圧力がある一定の空気圧になるよう減圧される場合、前記ＭＣＵあるいは前記ＰＬＣは前記アナログ入力ボード（２５）を制御するとともに、前記コンプレッサ（２４）と前記電磁バルブ（２２）を起動させ、前記吸収筒（２３）へ流入した窒素は吸着及び分離され、前記果物及び野菜の保存室へと供給され、前記窒素が設定値にまで達する場合、前記窒素濃度試験装置（２０）は信号を送信し、前記制御センタ（２７）が命令を送信することで、前記コンプレッサ（２４）は停止し、前記電磁バルブ（２２）は窒素の供給を停止し、前記マン・マシン・インターフェース（２８）を介して作用パラメータを調整及び設定することで、使用者の要求は満たすことが可能であって、前記ＭＣＵの型がＰＩＣ１６Ｆ７４であることを特徴とする。
【手続補正６】
【補正対象書類名】明細書
【補正対象項目名】０００９
【補正方法】変更
【補正の内容】
【０００９】
図４に示すように、前記クイック継手装置（３０）は、接続装置、弾性要素、位置決定器そして設置座部を備え、前記接続装置の一端部は、前記パイプ（１７）に接続され、もう一方の端部は、前記弾性要素に接触し、該弾性要素は、前記設置座部の内部に配されるとともに前記位置決定器により固定され、前記設置座部は、前記冷蔵及び冷凍室のエアインレットに接続され、前記接続装置（３０１）の一端部は、前記パイプ（１７）に接続され、前記接続装置のもう一方の端部は、分離ばね（３０２）と接触し、該分離ばねは前記位置決定器により、前記設置座部（３０４）内部に配され、前記分離ばねの接触により、前記分離ばね（３０２）は圧縮され、規定値に達し、前記位置決定器は、前記接続装置（３０１）と位置決めピン（３０３２）間の接続部に配される溝部において、楔（３０３１）、前記位置決めピン（３０３２）、そして復元ばね（３０３３）を組み合わせることで形成される。使用者が通常使用する際、復元ばね（３０３３）の力により、位置決定器（３０３２）は接続装置（３０１）の溝部に押込まれる。そして、接続装置（３０１）は設置座部（３０４）上に固定される。この固定を解除する要求があると、パイプ（１７）を上に引張り、これにより牽引力を生成するとともに、分離ばね（３０２）からの予め設定された反動力を生成する。接続装置（３０１）は設置座部（３０４）の台座から上方に動かされる。この結果、位置決めピン（３０３２）は押込まれ、復元ばね（３０３３）の力により、位置決めピンは外側に動く。位置決めピン（３０３２）が接続装置（３０１）の溝部から離れると、接続装置（３０１）は設置座部から離れる。従って、パイプ（１７）と冷蔵庫との間の分離が実現する。
【手続補正７】
【補正対象書類名】明細書
【補正対象項目名】００１１
【補正方法】変更
【補正の内容】
【００１１】
小型吸着式あるいは膜分離式による窒素発生機は、１以上の果物及び野菜の保存室の引き出しに接続されるとともに、窒素を供給し、前記引き出しは互いに独立している、あるいは、前記引き出しは、前記冷蔵及び冷凍装置内の分割空間(１１)によって独立している。前記果物及び野菜の保存室の引き出し、あるいは分割空間（１１）は、分割板（１２）等により分割されている。前記分割板（１２）の上端縁あるいは下端縁は、シリカゲルの細片等により塞がれている。前記果物及び野菜の保存室の引き出しはもう一方の引き出しにより塞がれている。前記冷蔵庫あるいは冷蔵キャビネットの果物及び野菜の保存室は、引き出し、あるいは独立して開く左右のドア、もしくは独立して開く上下のドアを備える。引き出しの場合、密閉クイックコネクタにより、保存室の窒素インレットは、窒素発生器の窒素アウトレットと接続される。該密閉クイックコネクタは、保存室から窒素が漏れることなく、取り外すことが可能である。独立ドアの場合、ドアを開閉する際はいつも、保存室内の空気は自動的に取り出され、窒素は自動的に取り込まれる。前記果物及び野菜の保存室の引き出しには、スイッチが付され、該スイッチは、機械的信号、電気的信号、音波信号、光電気信号、温度信号、圧力信号、あるいは磁気信号が反応し、前記スイッチは、果物及び野菜の保存室の引き出しによる動きによって、切替えられ、前記動きは、ドアの開閉あるいは引き出しの動きであってもよく、前記スイッチは電気的に前記制御装置（１６）に接続されていることを特徴とする。
窒素の生成と供給はさまざまなセンサから集められた情報によって自動的に制御されている。様々なセンサは導入された信号、音波信号、あるいは電気的信号を察知するのに採用されている。これらの信号は、空気中の窒素濃度やその他の濃度を自動的に検知することによって、作り出される。あるいは、以下に示す自動的検知によって、信号が作りだされる。果物及び野菜の保存室の内外の圧力あるいは温度を自動的に検知すること、ドアの開閉、果物及び野菜の保存室あるいは他の部材の動きにより発せられる誘発信号を検知すること、ドアの開閉時における光の違いによって生じる光電気誘導（photoelectricity induction）を検知すること、あるいは磁気の変化によって生じる電磁誘導を検知することによって信号が作り出される。
【手続補正８】
【補正対象書類名】図面
【補正対象項目名】図３
【補正方法】変更
【補正の内容】
【図３】
0003148778.tif 000007